(57)【要約】【課題】  スノーボードのフレックス及びトーションを各スノーボーダーに適したものに補強することのできるスノーボード用補強プレート及び、該スノーボード用補強プレートによって補強されたスノーボードを提供することを目的とするものである。【解決手段】  スノーボード５表面に取付けられて、該スノーボード５のトーション，フレックスを補強するためのスノーボード用補強プレート１であって、  スノーボード５の幅方向の略中央に配置された際に、ビンディングをスノーボード５に取付できるようにする取付用孔７が形成された中央補強部２と、該中央補強部２からスノーボード５の中心線に沿って伸長してスノーボードの先端部側又は後端部側に延びる中心方向補強部３と、前記中央補強部２から放射状に伸長してスノーボードのエッジ部に達する放射状補強部４とを備え、  前記中心方向補強部３の端部は、スノーボード５の先端部又は後端部のエッジ部１４に沿って拡大した形状であることを特徴とするものである。【選択図】    図１
2006000460.tif 000002
【特許請求の範囲】
【請求項１】
スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、該中央補強部からスノーボードの中心線に沿って伸長してスノーボードの先端部側又は後端部側に延びる中心方向補強部と、前記中央補強部から放射状に伸長してスノーボードのエッジ部に向けて伸び、又は当該エッジ部に達する放射状補強部とを備え、
前記中心方向補強部の端部は、スノーボードの先端部又は後端部のエッジ部に沿って拡大した形状であることを特徴とするスノーボード用補強プレート。
【請求項２】
スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、スノーボードの中心線に沿って該中央補強部から伸長した中心方向補強部と、該中心方向補強部の伸長方向とは反対方向の斜め方向に向けて伸長する放射状補強部とを備えた形状であることを特徴とするスノーボード用補強プレート。
【請求項３】
スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、該中央補強部から放射状に伸長してスノーボードの先端部近傍、後端部近傍又はエッジ部近傍に達する複数の放射状補強部とを備えた形状であることを特徴とするスノーボード用補強プレート。
【請求項４】
スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、該中央補強部からスノーボードの中心線に沿って伸長してスノーボードの先端部又は後端部に達する中心方向補強部と、前記中央補強部から放射状に伸長してスノーボードのエッジ部に向けて伸び、又は当該エッジ部近傍に達する放射状補強部と、前記中心方向補強部と放射状補強部の先端部に連接し、且つ、スノーボードの縁に沿って設けられたエッジ部補強部とを備えた形状であることを特徴とするスノーボード用補強プレート。
【請求項５】
スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、スノーボードの長手方向に向けて該中央補強部から伸長された複数の長手方向補強部と、該長手方向補強部の先端に連結し、且つ、スノーボードの縁に沿って設けられたエッジ部補強部とを備え、長手方向補強部同士は互いに間隔を開けて設けられた形状であることを特徴とするスノーボード用補強プレート。
【請求項６】
スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、スノーボードの縁に沿って設けられたエッジ部補強部と、スノーボードの幅方向に伸長して設けられ、その両端部がエッジ部補強部に連結された複数の幅方向補強部とを備え、前記幅方向補強部同士は、スノーボードの長手方向に亘って互いに間隔を開けて設けられた形状であることを特徴とするスノーボード用補強プレート。
【請求項７】
スノーボードの中心線を中心にして、一側に伸長する放射状補強部の幅を他側に伸長する放射状補強部の幅よりも広幅に形成することにより、前記中心線を中心にして左右非対称の形状であることを特徴とする請求項１乃至請求項４の何れか１項に記載のスノーボード用補強プレート。
【請求項８】
前記長手方向補強部又は放射状補強部に切断可能部が設けられて、長さ調整が可能であることを特徴とする請求項１乃至請求項４の何れか１項に記載のスノーボード用補強プレート。
【請求項９】
一側面に接着剤、又は粘着剤と剥離紙が予め貼り付けてあり、剥離紙を剥がしてスノーボードに取付可能であることを特徴とする請求項１乃至請求項８の何れか１項に記載のスノーボード用補強プレート。
【請求項１０】
請求項１乃至９の何れか１項に記載のスノーボード用補強プレートと同形状の凹部がボードの表面に形成され、該凹部内にスノーボード用補強プレートが収容された状態で取付けられていることを特徴とするスノーボード。
【請求項１１】
スノーボードのトーション，フレックスを補強するスノーボード用補強プレートがボードの表面に取付けられたスノーボードであって、
前記スノーボード用補強プレートは、スノーボードの幅方向の中央に位置してビンディング取付用孔が形成された中央補強部と、該中央補強部からスノーボードの中心に沿って伸長する中心方向補強部と、前記中央補強部から放射状に伸長してスノーボードのエッジ部に向けて伸び、又は当該エッジ部近傍に達する放射状補強部とを備えたヒトデ形に形成され、
前記ボードの表面には、前記スノーボード用補強プレートと同形状の凹部がボードの表面に形成され、該凹部内にスノーボード用補強プレートが収容された状態で取付けられていることを特徴とするスノーボード。
【請求項１２】
補強プレートは、スノーボードの中心線を中心にして、一側に伸長する放射状補強部の幅を他側に伸長する放射状補強部の幅よりも広幅に形成することにより、前記中心線を中心にして左右非対称の形状であることを特徴とする請求項１１に記載のスノーボード。
【請求項１３】
スノーボード用補強プレートは、接着剤、粘着剤、ネジ、ポケット状の固定具の何れかによって着脱自在に、ボードの表面に取り付けられたことを特徴とする請求項１０乃至請求項１２の何れか１項に記載のスノーボード。
【請求項１４】
カーボン、金属、非金属、ＦＲＰ，樹脂、布やこれらの積層材、又は複合材によって形成されたことを特徴とする請求項１乃至請求項９の何れか１項に記載のスノーボード用補強プレート。
【請求項１５】
打抜き成形、射出成形、切り出し、腐食の何れかによって成形されたことを特徴とする請求項１乃至請求項９の何れか１項に記載のスノーボード用補強プレート。
【発明の詳細な説明】
【技術分野】
【０００１】
本発明は、スノーボード用補強プレート及びスノーボードに関する。
【背景技術】
【０００２】
本願の発明者らによる発明を記載した非特許文献１に示すように、スノーボードの肉厚を部分的に厚くすることにより、スノーボードの曲げ剛性（以下、フレックスという）及び捩じれ剛性（以下、トーションという）を部分的に強めたスノーボードが知られている。このスノーボード５においては、図２２に示すように、ビンディング取付部６の肉厚を厚くした構成である。
【非特許文献１】「（株）キスマークジャパン」出版、Ｐ．１１−１２
【０００３】
このように構成されたスノーボード５においては、以下の作用を奏する。即ち、このように形成されたスノーボード５においては、図２２に示すように、スノーボード５に荷重が加わった場合、スノーボード５は、肉厚に形成されているビンディング取付部６近傍においてはフレックス及びトーションが強くなって変形し難いため、ビンディング取付部６の外側において大きく撓むことが可能である。
【発明の開示】
【発明が解決しようとする課題】
【０００４】
ところで、スノーボード５のフレックス及びトーションは、スノーボーダーの滑走技術の違いによって異なった意味を有するものである。即ち、滑走技術が上級のスノーボーダーは高速で滑走しながら、大きな脚力でスノーボード５を自在に操作してターンを繰り返すという特徴がある。このため、上級のスノーボーダーの大きな脚力や高速滑走に基づく大きな荷重を支えながらエッジング作用を効かせることができるようにするためには、スノーボード５のフレックス及びトーションを大きくして、スノーボード５自体の変形を小さくすることが好ましい。つまり、上級のスノーボーダーの滑走においては、小さなフレックス及びトーションのスノーボードでは、スノーボード５に加わる大きな荷重を支えきれないため、高速で滑走しながら理想とするターンを行うことができないという現実がある。
【０００５】
一方、初級のスノーボーダーは低速で滑走することが多いため、スノーボード５に加わる荷重は、前述した上級のスノーボーダーの場合と比較して小さなものである。このため、初級のスノーボーダーにとっては、スノーボード５のフレックス及びトーションを小さくすることにより、いわゆる小回りを可能としたスノーボード５を選択することが好ましいという実状がある。換言すれば、フレックス及びトーションの大きなスノーボード５は、ターン時において、ターンをし易いように撓んだり捻れたりし難いため、初級のスノーボーダーにとっては、大きなフレックス及びトーションのスノーボード５はターン時において操作し難いものである。
【０００６】
以上のように、スノーボーダーの滑走技術が初級から上級に向上するに伴って、スノーボーダーに適したスノーボード５のフレックス及びトーションは変化するものである。しかし、前述の従来技術のスノーボード５においては、スノーボード５のビンディング取付部６近傍の肉厚を他の部位の肉厚よりも厚くしたものであるため、スノーボード５のフレックス及びトーションは構造上、設計段階で、一義的に決まってしまい、後日、スノーボーダーの滑走技術が向上しても、滑走技術の向上に対応できるものではなかった。
又、各スノーボーダーはそれぞれ滑走に固有の癖を持っている場合が多いため、各スノーボーダー毎の固有の癖に対応することができるように、スノーボード５の固有の部分のフレックス及びトーションを各スノーボーダーに固有の癖に対応させて補強できるようにすることが好ましい。
しかし、前述のスノーボード５においては、構造が画一的であるため、各スノーボーダーの固有の滑走に対応できるものではなく、一部のスノーボーダーにしか適するものではなかった。
【０００７】
本発明は、前述の従来技術に鑑みてなされたもので、その目的は、スノーボードのフレックス及びトーションを各スノーボーダーに適したものに、簡単に、且つ、ボードの購入後においても適宜、補強することのできるスノーボード用補強プレート及び、該スノーボード用補強プレートによって補強されたスノーボードを提供することを目的とするものである。
【課題を解決するための手段】
【０００８】
請求項１に記載の発明は、スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、該中央補強部からスノーボードの中心線に沿って伸長してスノーボードの先端部側又は後端部側に延びる中心方向補強部と、前記中央補強部から放射状に伸長してスノーボードのエッジ部に向けて伸び、又は当該エッジ部近傍に略達する放射状補強部とを備え、前記中心方向補強部の端部は、スノーボードの先端部又は後端部のエッジ部に沿って拡大した形状であることを特徴とするものである。
【０００９】
請求項２に記載の発明は、スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、スノーボードの中心線に沿って該中央補強部から伸長した中心方向補強部と、該中心方向補強部の伸長方向とは反対方向の斜め方向に向けて伸長する放射状補強部とを備えた形状であることを特徴とするものである。
【００１０】
請求項３に記載の発明は、スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、該中央補強部から放射状に伸長してスノーボードの先端部近傍、後端部近傍又はエッジ部近傍に達する複数の放射状補強部とを備えた形状であることを特徴とするものである。
【００１１】
請求項４に記載の発明は、スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、該中央補強部からスノーボードの中心線に沿って伸長してスノーボードの先端部又は後端部に達する中心方向補強部と、前記中央補強部から放射状に伸長してスノーボードのエッジ部に向けて伸び、又は当該エッジ部近傍に達する放射状補強部と、前記中心方向補強部と放射状補強部の先端部に連接し、且つ、スノーボードの縁に沿って設けられたエッジ部補強部とを備えた形状であることを特徴とするものである。
【００１２】
請求項５に記載の発明は、スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、スノーボードの長手方向に向けて該中央補強部から伸長された複数の長手方向補強部と、該長手方向補強部の先端に連結し、且つ、スノーボードの縁に沿って設けられたエッジ部補強部とを備え、長手方向補強部同士は互いに間隔を開けて設けられた形状であることを特徴とするものである。
【００１３】
請求項６に記載の発明は、スノーボード表面に取付けられて、該スノーボードのトーション，フレックスを補強するためのスノーボード用補強プレートであって、
スノーボードの幅方向の略中央に配置された際に、ビンディングをスノーボードに取付できるようにする取付用孔が形成された中央補強部と、スノーボードの縁に沿って設けられたエッジ部補強部と、スノーボードの幅方向に伸長して設けられ、その両端部がエッジ部補強部に連結された複数の幅方向補強部とを備え、前記幅方向補強部同士は、スノーボードの長手方向に亘って互いに間隔を開けて設けられた形状であることを特徴とするものである。
【００１４】
請求項７に記載の発明は、請求項１乃至請求項４の何れか１項に記載のスノーボード用補強プレートにおいて、スノーボードの中心線を中心にして、一側に伸長する放射状補強部の幅を他側に伸長する放射状補強部の幅よりも広幅に形成することにより、前記中心線を中心にして左右非対称の形状であることを特徴とするものである。
【００１５】
請求項８に記載の発明は、請求項１乃至請求項４の何れか１項に記載のスノーボード用補強プレートにおいて、前記長手方向補強部又は放射状補強部に切断可能部が設けられて、長さ調整が可能であることを特徴とするものである。
【００１６】
請求項９に記載の発明は、請求項１乃至請求項８の何れか１項に記載のスノーボード用補強プレートにおいて、一側面に接着剤、又は粘着剤と剥離紙が予め貼り付けてあり、剥離紙を剥がしてスノーボードに取付可能であることを特徴とするものである。
【００１７】
請求項１０に記載の発明は、請求項１乃至９の何れか１項に記載のスノーボード用補強プレートと同形状の凹部がボードの表面に形成され、該凹部内にスノーボード用補強プレートが収容された状態で取付けられていることを特徴とするスノーボードである。
【００１８】
請求項１１に記載の発明は、トーション，フレックスを補強するスノーボード用補強プレートがボードの表面に取付けられたスノーボードであって、
前記スノーボード用補強プレートは、スノーボードの幅方向の中央に位置してビンディング取付用孔が形成された中央補強部と、該中央補強部からスノーボードの中心に沿って伸長する中心方向補強部と、前記中央補強部から放射状に伸長してスノーボードのエッジ部に向けて伸び、又は当該エッジ部に達する放射状補強部とを備えたヒトデ形に形成され、前記ボードの表面には、前記スノーボード用補強プレートと同形状の凹部がボードの表面に形成され、該凹部内にスノーボード用補強プレートが収容された状態で取付けられていることを特徴とするものである。
【００１９】
請求項１２に記載の発明は、請求項１１に記載のスノーボードにおいて、補強プレートは、スノーボードの中心線を中心にして、一側に伸長する放射状補強部の幅を他側に伸長する放射状補強部の幅よりも広幅に形成することにより、前記中心線を中心にして左右非対称の形状であることを特徴とするものである。
【００２０】
請求項１３に記載の発明は、請求項１０乃至請求項１２の何れか１項に記載のスノーボードにおいて、スノーボード用補強プレートは、接着剤、粘着剤、ネジ、ポケット状の固定具の何れかによって着脱自在に、ボードの表面に取り付けられたことを特徴とするものである。
【００２１】
請求項１４に記載の発明は、請求項１乃至請求項９の何れか１項に記載のスノーボード用補強プレートにおいて、カーボン、金属、非金属、ＦＲＰ，樹脂、布やこれらの積層材又は複合材によって形成されたことを特徴とするものである。
【００２２】
請求項１５に記載の発明は、請求項１乃至請求項９の何れか１項に記載のスノーボード用補強プレートにおいて、打抜き成形、射出成形、切り出し、腐食の何れかによって成形されたことを特徴とするものである。
【発明の効果】
【００２３】
請求項１に記載の発明によれば、スノーボード用補強プレートをスノーボードの表面に取付けることにより、スノーボードのフレックスを部分的に補強することができる上に、スノーボードのエッジ部に向けて放射状に伸び、又は、当該エッジ部に放射状に達する放射状補強部によって当該エッジ部のトーションを補強することができる。
【００２４】
請求項２に記載の発明によれば、スノーボード用補強プレートをスノーボードの表面に取付けることにより、スノーボードのフレックスを部分的に補強することができる上に、スノーボードのエッジ部に向けて放射状に伸び、又は、当該エッジ部に放射状に達する放射状補強部によって当該エッジ部のトーションを補強することができる。
【００２５】
請求項３に記載の発明によれば、放射状補強部によって、スノーボードのフレックス及びトーションを補強することができる。
【００２６】
請求項４に記載の発明によれば、エッジ部補強部によって、スノーボードのエッジ部のフレックス及びトーションを特に補強することができる。
【００２７】
請求項５に記載の発明によれば、長手方向補強部によって、スノーボードのフレックスを特に補強することができる。
【００２８】
請求項６に記載の発明によれば、幅方向補強部によって、スノーボードのトーションを特に補強することができる。
【００２９】
請求項７に記載の発明によれば、スノーボーダーの踵側のエッジング作用をつま先側のエッジング作用よりも特に補強することができる。
【００３０】
請求項８に記載の発明によれば、切断部により、長手方向補強部又は放射状補強部を切断して、その長さを調整することにより、フレックス及びトーションを自在に調整できる。
【００３１】
請求項９に記載の発明によれば、剥離紙を剥がすだけで、補強プレートをスノーボードに容易に取付けることができる。
【００３２】
請求項１０に記載の発明によれば、補強プレートをスノーボードに埋め込むことができるので、補強プレートがスノーボーダーに当たる等してスノーボーダーを傷付けたり、又は、補強プレートが脱落する虞が少ない。
【００３３】
請求項１１に記載の発明によれば、ヒトデ形の補強プレートによって、スノーボードが補強される。
【００３４】
請求項１２に記載の発明によれば、スノーボーダーの踵側のエッジング作用をつま先側のエッジング作用よりも特に補強することができる。
【００３５】
請求項１３に記載の発明によれば、接着剤、粘着剤、ネジ、ポケット状の固定具によって、補強プレートをスノーボードに取付けることができる。特に、ポケット状の固定具を設けた場合、補強プレートの放射状補強部の先端部を固定具に差込むことにより、補強プレートをスノーボードの表面に容易に取付けることができ、又、補強プレートの放射状補強部の先端部を固定具から抜くことにより、補強プレートをスノーボードの表面から容易に取外すことができるため、補強プレートが損傷等した場合に、補強プレートの交換を容易に行うことができる。
【００３６】
請求項１４に記載の発明によれば、カーボン、金属、非金属、ＦＲＰ，樹脂、布やこれらの積層材又は複合材によって補強プレートを形成できる。
【００３７】
請求項１５に記載の発明によれば、打抜き成形、射出成形、切り出し、腐食の何れかによって補強プレートを形成できる。
【発明を実施するための最良の形態】
【００３８】
図１は、第１実施形態を示す。この実施形態に係るスノーボード用補強プレート１は、板材で形成されている。このスノーボード用補強プレート１は、中央補強部２と、中心方向補強部３と、放射状補強部４とを備えている。
【００３９】
前記補強プレート１はスノーボード５の任意の位置に取付できるものであるが、スノーボード５のビンディング取付部６に取付けする場合には、前記中央補強部２にはビンディングをスノーボード５に取付できるようにするための取付用孔７が形成されている。この場合、図２に示すように、スノーボード５表面のビンディング取付部６を囲むように、スノーボード用補強プレート１を収容するための凹部８を当該スノーボード用補強プレート１と同じ形状に予め形成し、スノーボード５のビンディング取付部６を補強プレート１の取付用孔７に嵌合した状態で、当該凹部８にスノーボード用補強プレート１を埋め込むようにすることができる。ここで、スノーボード用補強プレート１を取付けた状態で該スノーボード用補強プレート１の表面と、前記凹部８の周囲のスノーボード５の表面とが面一になる深さに，前記凹部８が形成されることが最も好ましいが、面一に形成されることに限定されるものではなく、±０．５ｍｍの範囲内に収めることが好ましい。図３は、スノーボード５の表面に補強プレート１を取付けた状態を示し、ビンディングを取付ネジ９によってビンディング取付部６に固定した状態を示す。図中、１０はソフトビンディングを示し、１１はセンタープレートを示す。
【００４０】
図４に示すように、補強プレート１をスノーボード５に取付けた場合、前記中心方向補強部３は前記中央補強部２からスノーボード５の中心線に沿って伸長してスノーボード５の先端部側１２又は後端部側に達している。中心方向補強部３の端部１３は、スノーボード５の先端部１２又は後端部のエッジ部１４に沿って拡大した形状を成している。又、前記放射状補強部４は、前記中央補強部２から放射状に伸張してスノーボード５のエッジ部１４に向けて伸び、又は略エッジ部１４近傍に達している。前記放射状補強部４は、スノーボード５のエッジ部１４に沿って拡大した形状である。ここで、スノーボード５のエッジ部１４とは、スノーボード５のエッジ近傍の範囲である。
【００４１】
以上のように形成されたスノーボード用補強プレート１は、接着剤、粘着剤、ネジ等の手段によってスノーボードの表面に取付けられるものである。ここで、粘着剤とは、接着剤よりも接着力の小さな素材をいうものとする。
【００４２】
次に、図５及び図６に基づき、補強用プレート１を取付けたスノーボード５のフレックス及びトーションの変化について説明する。先ず、フレックスについて説明する。図５に示すように、スノーボード５は、補強プレート１の中央補強部２によって補強されているため、スノーボード５の撓みは小さいため、スノーボーダーは足元がビンディング（図示せず）によって確固として保持されていることを実感できるものである。又、ａ１からａ２までの範囲，ａ３からａ４までの範囲及び、ａ５からａ６までの範囲においては補強プレート１の放射状補強部４によって補強されている。又、ｂ１からｂ２までの範囲においては補強プレート１の中心方向補強部３によって補強されている。更に、c１からc２までの範囲において補強プレート１の中心方向補強部３によって補強されている。即ち、スノーボード５はビンディング取付部６から先端部１２側へ向けて補強プレート１によって補強される範囲が徐々に狭くなるため、スノーボード５のフレックスはビンディング取付部６から先端部１２側へ向けて徐々に小さくなってスノーボード５は曲がり易くなるが、スノーボード５は先端部１２近傍にまで補強プレート１によってフレックスが補強されている。更に、スノーボード５の先端部１２においては、中心方向補強部３の拡大した先端部１３によって補強されている。
【００４３】
次に、補強プレート１によって補強されたトーションについて説明する。図５に示すように、スノーボード５のａ１からａ２までの範囲及び、ａ５からａ６までの範囲においては、補強プレート１がスノーボード５の略エッジ部１４近傍にまで伸長してスノーボード５のエッジ部１４近傍におけるトーションを補強しているため、図６に示すように、雪面Ｓに対してエッジング作用を効かせた場合において、スノーボード５のエッジ部１４は曲がり難く、エッジング作用が効果的に効く状態にある。このように、エッジング作用が効果的に効くということは、ターン時においてスノーボード５のエッジ部１４が雪面Ｓを確固として捕らえることができるために横滑りをすることがなく、安定感良くターンをすることができるものである。
【００４４】
このように補強プレート１を取付けたスノーボード５においては、スノーボード５全体のフレックス及びトーションを強化するものではなく、スノーボード５の任意の部分のフレックス及びトーションを部分的に補強するものであるため、スノーボード５は全体的にしなやかでありながら、各スノーボーダーの固有の滑走に適したフレックス及びトーションをスノーボーダーに付与することができるものである。又、前記中心方向補強部３をスノーボード５の後端部側へ伸長して設けた場合には、スノーボード５の後端部側のフレックスを補強できるため、スノーボード５でジャンプして着地した場合の衝撃をスノーボード５の後端部に受けてもスノーボード５は損傷しないという作用効果を奏する。この第１実施形態に記載の補強プレート１が請求項１に記載の補強プレートに該当する。
【００４５】
次に、図７及び図８は、第２実施形態を示す。この第２実施形態においては、中央補強部２は第1実施形態と同様のため説明を省略する。この第２実施形態の特徴は、中心方向補強部３１は前記中央補強部２からスノーボード５の中心線に沿って伸長した形状である。中心方向補強部３１は、スノーボード５の先端部１２の方向へ向けて先細状に形成されている。又、放射状補強部３２は、前記中心方向補強部３１の伸長方向とは反対方向の斜め方向に向けて伸張した形状であって、スノーボード５の中心線に対して左右対称の形状である。第２実施形態の補強プレート３３は以上のように、中央補強部２，中心方向補強部３１及び、放射状補強部３２によって略二等辺三角形状に形成される。この第２実施形態に記載の補強プレート３３が、請求項２に記載の補強プレートに該当する。
【００４６】
次に、補強用プレート３３を取付けたスノーボード５のフレックス及びトーションの変化について説明する。先ず、フレックスについて説明する。スノーボード５のビンディング取付部６近傍のｄ１からｄ２までの範囲において補強プレート３３の中央補強部２によって補強されている。又、スノーボード５の中心線近傍のｅ１からｅ２までの範囲において中心方向補強部３１によって補強されている。更に、又、スノーボード５のｆ１からｆ２までの範囲、及びｆ３からｆ４までの範囲において放射状補強部３２によって補強されている。スノーボード５はビンディング取付部６から先端部１２側へ向けて中心方向補強部３１によって補強される範囲が徐々に先細状に狭くなるため、スノーボード５のフレックスはビンディング取付部６から先端部側へ向けて徐々に小さくなって曲げ易くなる。
【００４７】
次に、トーションについて説明する。図７に示すように、ビンディング取付部６の後方に向けては、放射状補強部３２がスノーボード５の略エッジ部１４近傍にまで伸長してスノーボード５のエッジ部１４近傍におけるトーションを補強している。一方、ビンディング取付部６の前方に向けては、補強プレート３３がスノーボード５のエッジ部１４近傍にまで伸長していないため、スノーボード５のエッジ部１４近傍におけるトーションは補強されないため、図８に示すように、雪面Ｓとの接触によってエッジング作用を効かそうとする場合、スノーボード５のエッジ部１４は曲がり変形し易く、エッジング作用が効果的に効き難い状態にある。このように、エッジング作用が効き難いということは、低速でのターン時においては、いわゆる小回りが可能である反面、高速でのターン時においては、スノーボードが横滑りし易いという特性を有するものである。
【００４８】
次に、図９に基づき、スノーボーダーの滑走技術が上達するに伴ってスノーボーダーによる滑走の手法が変化する点について説明する。図９は、スノーボーダーの滑走の趣向，滑走距離，脚力，滑走スピード，ターン回数の多少，スノーボードのエッジと雪面とのエッジングの状態，滑走の特徴，スノーボードの硬さについて、スノーボーダーの滑走技術が上達するに伴って変化する旨を示した図表である。図９に示すように、滑走技術が初級から上級に上達するにつれて、図表中、左から右に向けて、前述の滑走の趣向，ターン回数の多少，滑走スピード，スノーボードのエッジと雪面とのエッジングの状態，滑走の特徴，スノーボードの硬さが変位するものである。同図９に示すように、初級のスノーボーダーの滑走は、滑走のスピードが遅く、脚力が弱く、ターン回数が多い点に特徴を有するものである。このような特性を有する初級者には、フレックス及びトーションの小さなスノーボードが適している。
【００４９】
一方、上級のスノーボーダーの滑走は、同図９に示すように、滑走のスピードが速く、脚力が大きく、ターン回数が少ない点に特徴を有するものである。このような特性を有する上級のスノーボーダーには、フレックス及びトーションの大きく、硬いスノーボードが適している。即ち、上級のスノーボーダーにおいては、滑走のスピードが速く、脚力も大きいという特性を有するため、硬いスノーボードでなければ、ターン時においてスノーボード自体が撓んでしまってエッジング作用が効き難く、ターン時においてエッジングを効果的に行えないという現象がある。このため、上級のスノーボーダーが使用するスノーボードにおいては、スノーボードのフレックス及びトーションを大きくして、スノーボードを硬く、変形し難くすることにより、このような現象を防止するものである。
【００５０】
このような観点から判断して、スノーボーダーの滑走技術が向上して上級の段階に至った場合においては、第１実施形態の補強プレート１をスノーボード５に取付けることが好ましい。一方、スノーボーダーの滑走技術が未だ初級の段階に留まっている場合においては、第２実施形態の補強プレート３をスノーボード５に取付けることが好ましい。
【００５１】
図１０は第３実施形態を示す。この第３実施形態の補強プレート４１は、中央補強部２と、この中央補強部２から放射状に伸長する放射状補強部４２とを備えた形状である。この放射状補強部４２は、スノーボード５の略先端部１２近傍，略エッジ部１４近傍又は略後端部近傍に達する長さに形成されている。放射状補強部４２の間隔を粗又は密に形成することによって、スノーボード５のフレックス及びトーションを自在に調整することができる。この第３実施形態に記載の補強プレート４１が、請求項３に記載の補強プレートに該当する。
【００５２】
図１１は第４実施形態を示す。この第４実施形態の補強プレート５１は、中央補強部２と、中心方向補強部５２と、放射状補強部５３と、エッジ補強部５４とを備えた形状である。中央補強部２，中心方向補強部５２，放射状補強５３部については前述の第１実施形態の補強プレート１と同様であるため説明は省略する。前記エッジ補強部５４は、前記中心方向補強部５２の先端と、前記放射状補強部５３の先端とに連接し、且つ、スノーボード５のエッジ部１４に沿って設けられた形状である。この第４実施形態に記載の補強プレート５１が、請求項４に記載の補強プレートに該当する。
【００５３】
このように構成された第４実施形態の補強プレート５１を取付けたスノーボードにおいては、補強プレート５１のエッジ補強部５４によって、スノーボードのエッジ部１４近傍において、特に、フレックス及びトーションが補強されることができる。
【００５４】
図１２は第５実施形態を示す。この第５実施形態の補強プレート６１は、中央補強部２と、長手方向補強部６２と、エッジ補強部６３とを備えた形状である。中央補強部２については前述の第１実施形態の補強プレート１と同様であるため説明は省略する。前記長手方向補強部６２は、前記中央補強部２からスノーボードの長手方向に向けて伸長するように形成されている。長手方向補強部６２は、スノーボードの幅方向に向けて間隔を開けて複数個、形成することができる。又、前記エッジ補強部６３は、長手方向補強部６２同士の先端に連接し、且つ、スノーボードのエッジ部１４に沿って設けられた形状である。この第５実施形態の補強プレート６１が、請求項５に記載の補強プレートに該当する。
【００５５】
このように構成された第５実施形態の補強プレート６１を取付けたスノーボードにおいては、長手方向補強部６２によってスノーボードのフレックスが補強される。又、補強プレート６１のエッジ補強部６３によって、スノーボードのエッジ部１４において、特に、フレックス及びトーションが補強されることができる。
【００５６】
図１３は第６実施形態を示す。第６実施形態の補強プレート７１は、中央補強部２と、エッジ補強部７２と、幅方向補強部７３とを備えた形状である。中央補強部２については前述の第１実施形態の補強プレート１と同様であるため説明は省略する。エッジ補強部７２は、スノーボードのエッジ部１４に沿って設けられた形状である。幅方向補強部７３は、スノーボードの幅方向に沿って形成されている。この幅方向補強部７３の両端は、エッジ補強部７２に連設されている。この幅方向補強部７３は、スノーボードの長手方向に向けて互いに間隔を開けて複数個形成することができる。この第６実施形態に記載の補強プレート７１が、請求項６に記載の補強プレートに該当する。
【００５７】
この第６実施形態においては、補強プレート７１のエッジ補強部７２によって、スノーボードのエッジ部１４が特に補強される上に、幅方向補強部７３によってスノーボードのトーションが補強されることができる。
【００５８】
図１４は第７実施形態を示す。この第７実施形態の補強プレート８１は、中央補強部２と、この中央補強部２から放射状に伸長した放射状補強部８２、８３と、中心方向補強部８４とを備えている。中央補強部２及び中心方向補強部８４については前述の第１実施形態と同様にため説明を省略する。この第７実施形態の放射状補強部８２、８３は、スノーボードの中心線を中心として左右の幅が異なる点に特徴を有するものである。図１４においては、中心線の右側に位置する放射状補強部８３の幅を、中心線の左側に位置する放射状補強部８２の幅よりも広幅にすることにより、中心線の右側においてスノーボードのエッジ部１４の補強を強めた形状の補強プレートを示す。この第７実施形態に記載の補強プレート８１が、請求項７に記載の補強プレートに該当する。
【００５９】
この第７実施形態においては、スノーボーダーは広幅の放射状補強部８３に踵を乗せた状態で滑走をする。スノーボードの右側のエッジ部は幅広の放射状補強部８３によってトーションが補強されているため、ターン時において、スノーボードは右側のエッジ部においてエッジング作用を有効に効かせながら、ターンをすることができる。
【００６０】
図１５，図１６は第８実施形態を示す。この第８実施形態の補強プレート９１は、中央補強部２と中心方向補強部９２と放射状補強部９３とを備えた構成であって、中心方向補強部９２と放射状補強部９３の途中には一又は複数の切断可能部９４が形成されている点に特徴を有するものである。この中心方向補強部９２及び放射状補強部９３は、任意の一の切断可能部９４を選択して切断することにより、中心方向補強部９２及び放射状補強部９３の長さを調整することができるものである。このように、中心方向補強部９２及び放射状補強部９３の長さを調整した補強プレート９１をスノーボードに取付けることにより、スノーボードのフレックス及びトーションを任意に調整することができる。前記切断可能部９４は、前記中心方向補強部９２及び放射状補強部９３に切り込みを設けることにより形成することができる。図１６は、中心方向補強部９２及び放射状補強部９３の先端側を切断して、中心方向補強部９２及び放射状補強部９３の長さを調整することにより、スノーボードのフレックス及びトーションを調整した状態を示す。この第８実施形態に記載の補強プレート９１が、請求項８に記載の補強プレートに該当する。
【００６１】
この第８実施形態においては、１つの補強プレート９１を用意するだけで、スノーボーダーの滑走技術に適するように、この補強プレート９１のフレックス及びトーションを任意に調整することができる。
【００６２】
図１７は、第９実施形態を示す。この第９実施形態の特徴は、スノーボード５の表面にポケット状の固定具１００を予め設けておき、補強プレート１０１の放射状補強部１０２の先端部を固定具１００に差込むようにして取付けるようにしたものである。この第９実施形態においては、補強プレート１０１の先端部を固定具１００に差し込むことにより、補強プレート１０１を容易にスノーボード５の表面に取付けることができる。この第９実施形態においては、補強プレート１０１の放射状補強部１０２の先端部を固定具１００に差込むことにより、補強プレート１０１をスノーボード５の表面に容易に取付けることができ、又、補強プレート１０１の放射状補強部１０２の先端部を固定具１００から抜くことにより、補強プレート１０１をスノーボード５の表面から容易に取外すことができる。このため、補強プレート１０１を同形であって材質の異なる補強プレート１０１に変更する場合や、補強プレート１０１が損傷等した場合に、補強プレート１０１の交換を容易に行うことができる。
【００６３】
図１８は、第１０実施形態を示す。この第１０実施形態の特徴は、スノーボード５と補強プレート１１０との間に、振動吸収部材１１１を介在した点にある。このように振動吸収部材１１１を用いた場合、スノーボード５からスノーボーダーに伝達する振動が減衰するため、滑走時において、当該振動がスノーボーダーに悪影響を与えない。
【００６４】
図１９は第１１実施形態を示す。前述の第１実施形態においては、補強プレート１に、スノーボード５のビンディング取付部６が嵌合する取付用孔７を形成したが、この第１１実施形態においては、当該取付用孔７は形成せずに、取付ネジ９が挿通するネジ挿通孔１ａを形成した点に特徴を有するものである。
【００６５】
前記各実施形態に記載の補強プレートは、打抜き成形（プレス成形）、射出成形（インジェクション）、切り出し（カッティング）、腐食（エッチング）等によって成形することができるものである。
【００６６】
図２０は、前記各実施形態において用いられる接着剤とその特性について示した図表である。補強プレートの裏面に接着剤と剥離紙が予め貼り付けてあり、剥離紙を剥がして補強プレートをスノーボードの表面に貼り付けるようにしても良いし、又は、剥離紙を貼ることなく、補強プレートの裏面に接着剤を塗布するようにしても良い。
【００６７】
図２１は、前記各実施形態の補強プレートの部材として用いられる樹脂と、その硬度及び、特性について記載した図表である。尚、補強プレートは樹脂の他に、カーボン、金属、アルミ等の非金属、ＦＲＰ，布や、これらを積層して形成した積層材又は複合材によって形成しても良い。このように、補強プレートを複数の素材で形成するようにした場合には、スノーボーダーの滑走技術の上達や用途に応じて任意の素材の補強プレートを選択して用いることができる。
【００６８】
又、スノーボード５の表面を補強プレートを取付けた状態でフィルム等によって被うようにしても良い。更に、補強プレートは前記各実施形態に記載の形状に限らず、スノーボードの幅方向の中央に位置してビンディング取付用孔が形成された中央補強部と、該中央補強部からスノーボードの中心に沿って伸長する中心方向補強部と、前記中央補強部から放射状に伸長してスノーボードのエッジ部に向けて伸び、又は当該エッジ部１４近傍に達する放射状補強部とを備えたヒトデ形に形成してもよいものである。ここで、ヒトデ形とは、複数本の腕を有する海洋生物のヒトデと同形又は近似した形状である。
【図面の簡単な説明】
【００６９】
【図１】スノーボード用補強プレートの斜視図である。（第一実施形態）
【図２】補強プレートが嵌め込まれる凹部が形成されたスノーボードの斜視図である。（第一実施形態）
【図３】スノーボードの表面に補強プレートとビンディングを取付けた状態を示す断面図である。（第一実施形態）
【図４】スノーボードに補強プレートを取付けた状態の斜視図である。（第一実施形態）
【図５】スノーボードに補強プレートを取付けた状態の平面図である。（第一実施形態）
【図６】スノーボードによるエッジング作用を示す斜視図である。（第１実施形態）
【図７】スノーボード用補強プレートの平面図である。（第２実施形態）
【図８】スノーボードによるエッジング作用を示す斜視図である。（第２実施形態）
【図９】初級，中級，上級のスノーボーダーの特性を示す図表である。
【図１０】スノーボード用補強プレートの平面図である。（第３実施形態）
【図１１】スノーボード用補強プレートの平面図である。（第４実施形態）
【図１２】スノーボード用補強プレートの平面図である。（第５実施形態）
【図１３】スノーボード用補強プレートの平面図である。（第６実施形態）
【図１４】スノーボード用補強プレートの平面図である。（第７実施形態）
【図１５】スノーボード用補強プレートの平面図である。（第８実施形態）
【図１６】スノーボード用補強プレートの平面図である。（第８実施形態）
【図１７】スノーボード用補強プレートの平面図である。（第９実施形態）
【図１８】スノーボード用補強プレートの平面図である。（第１０実施形態）
【図１９】スノーボード用補強プレートの平面図である。（第１１実施形態）
【図２０】接着剤の種類と特性を示す図表である。
【図２１】補強プレートの素材として用いられる樹脂の種類と特性を示す図表である。
【図２２】従来技術によるスノーボードの斜視図である。
【符号の説明】
【００７０】
１  補強プレート
２  中央補強部
３  中心方向補強部
４  放射状補強部
５  スノーボード
３１  中央方向補強部
３２  放射状補強部
３３  補強プレート
４１  補強プレート
４２  放射状補強部
５１  補強プレート
５２  中心方向補強部
５３  放射状補強部
６１  補強プレート
６２  長手方向補強部
６３  エッジ補強部
７１  補強プレート
７２  エッジ補強部
７３  幅方向補強部
８１  補強プレート
８２，８３  放射状補強部
８４  中心方向補強部
９１  補強プレート
９２  中心方向補強部
９３  放射状補強部
９４  切断可能部
１０１  補強プレート
１１０  補強プレート
１１１  振動吸収部材
【図１】
2006000460.tif 000003
【図２】
2006000460.tif 000004
【図３】
2006000460.tif 000005
【図４】
2006000460.tif 000006
【図５】
2006000460.tif 000007
【図６】
2006000460.tif 000008
【図７】
2006000460.tif 000009
【図８】
2006000460.tif 000010
【図９】
2006000460.tif 000011
【図１０】
2006000460.tif 000012
【図１１】
2006000460.tif 000013
【図１２】
2006000460.tif 000014
【図１３】
2006000460.tif 000015
【図１４】
2006000460.tif 000016
【図１５】
2006000460.tif 000017
【図１６】
2006000460.tif 000018
【図１７】
2006000460.tif 000019
【図１８】
2006000460.tif 000020
【図１９】
2006000460.tif 000021
【図２０】
2006000460.tif 000022
【図２１】
2006000460.tif 000023
【図２２】
2006000460.tif 000024